【手続補正書】
【提出日】平成19年5月29日(2007.5.29)
【手続補正１】
【補正対象書類名】明細書
【補正対象項目名】特許請求の範囲
【補正方法】変更
【補正の内容】
【特許請求の範囲】
【請求項１】  放射線硬化コーティング、接着剤、フォトレジスト、インクまたは成形品に適した組成物であって、（A）式：
【化１】
2003501541.tif 000001
【化２】
2003501541.tif 000002
又は
【化３】
2003501541.tif 000003
（式中、
Mは、原子価nの1つ又はそれ以上の金属原子であり、ここにおいてn=y.wであり、Mは、場合によっては1つよりも多い金属原子であるが、但し全体の当量金属原子価はn=w.yである；
nは、約1〜6の整数であり；
Rは、無水物及び／又はカルボン酸基を有する化合物の残基であり、当初当量カルボキシ当量官能価は、式f=x+y+z（ここにおいてfは約2〜30の整数である）によって規定され；
R1は、ヒドロキシ含有エチレン性不飽和化合物の残基であり；
R2は、水素であるか、あるいはR1とは異なるヒドロキシ含有エチレン性不飽和化合物の残基又はもう1つの金属基Mであり；
R3は、ヒドロキシ含有エチレン性不飽和化合物の残基であり；
wは、金属原子価nに必要とされる残基Rを有する部分の数であり；
xは、約1〜f−1の整数であり；
yは、約1〜2の整数であり；
zは、約0〜f−2の整数であり；
Yは、H又はR3である）
の少なくとも1つの重合性エチレン性不飽和化合物と、
（B）少なくとも1つの共重合性エチレン性不飽和モノマー又はオリゴマーと、
を含む組成物。
【請求項２】  重合性エチレン性不飽和化合物（A）は、
不飽和ヒドロキシ化合物と、式（Ｉ）の化合物の場合はカルボン酸又は酸無水物と、式（II）の化合物の場合は酸化硫黄と、又は式（III）の化合物の場合は酸化リン化合物とを反応させて、酸官能化合物を形成する工程、及び
前記酸官能化合物と金属化合物とを反応させる工程
を含む方法によりにより調製される、請求項1に記載の組成物。
【請求項３】  前記金属化合物は、金属の酸化物、ハロゲン化物、アルコキシド、水酸化物、硝酸塩、硫酸塩、カルボン酸塩及び炭酸塩からなる群から選択される、請求項2に記載の組成物。
【請求項４】  放射線がUVによって供給される時、前記組成物はさらに光開始剤を含み、放射線が電子線により供給される時、前記組成物は光開始剤を含まない、請求項1〜3のいずれかに記載の組成物。
【請求項５】  Mは、リチウム、ナトリウム、カリウム、セシウム、マグネシウム、カルシウム、ストロンチウム、バリウム、チタン、ジルコニウム、バナジウム、クロム、モリブデン、タングステン、マンガン、鉄、コバルト、ニッケル、パラジウム、銅、亜鉛、カドミウム、水銀、ホウ素、アルミニウム、ガリウム、インジウム、ケイ素、ゲルマニウム、錫、鉛、アンチモン、及びビスマスから成る群から選ばれる、請求項1〜4のいずれかに記載の組成物。
【請求項６】  Rは、無水フタル酸、イソフタル酸、テレフタル酸、無水テトラブロモフタル酸、無水テトラヒドロフタル酸、無水ヘキサヒドロフタル酸、無水イタコン酸、イタコン酸、フタル酸、無水トリメリット酸（これは1つの無水物と1つのカルボキシル基とを含んでいる）、無水ピロメリット酸、無水5−ノルボルネン−エンド−2,3−ジカルボン酸、無水ナフチル酸、ナフタレンテトラカルボン酸二無水物、無水マレイン酸、無水コハク酸、無水クロレンド酸、マレイン酸、コハク酸、フマル酸、蓚酸、マロン酸、グルタル酸、アジピン酸、ダイマー脂肪酸、及びスチレン／無水マレイン酸ポリマーから成る群から選ばれる化合物の残基である、請求項1〜5のいずれかに記載の組成物。
【請求項７】  化合物（A）が、前記式（I）であり、Rは、無水物及び／又はカルボン酸基を有するエチレン性不飽和化合物の残基である、請求項1〜6のいずれかに記載の組成物。
【請求項８】  R1又はR3は、（メタ）アクリル、アリル、プロペニル、及びビニルから成る群から選ばれるエチレン性不飽和基を含む化合物の残基である、請求項1〜7のいずれかに記載の組成物。
【請求項９】  前記R1又はR3は、ヒドロキシエチル（メタ）アクリレート、ヒドロキシプロピル（メタ）アクリレート、ヒドロキシブチル（メタ）アクリレート、（C1〜C6）アルキルグリシジル（メタ）アクリレート、アリールグリシジル（メタ）アクリレート、アリルグリシジル（メタ）アクリレート、トリメチロールプロパンモノ−及びジ−（メタ）アクリレート、ペンタエリスリトールモノ−、ジ−、及びトリ−（メタ）アクリレート、ジペンタエリスリトールモノ−、ジ−、トリ−、テトラ−、及びペンタ−（メタ）アクリレート、グリセロールモノ−及びジ−（メタ）アクリレート、ネオペンチルグリコールモノ（メタ）アクリレート、ヘキサンジオールモノ（メタ）アクリレート、トリス（2−ヒドロキシエチル）イソシアヌレートモノ−及びジ−（メタ）アクリレート、前記のもののすべてのエトキシル化又はプロポキシル化バージョン、ポリエチレングリコールモノ（メタ）アクリレート、ポリプロピレングリコールモノ（メタ）アクリレート、ポリエチレン／プロピレングリコールモノ（メタ）アクリレート、ポリブチレングリコールモノ（メタ）アクリレート、ポリテトラメチレングリコールモノ（メタ）アクリレート、及びヒドロキシポリカプロラクトンモノ（メタ）アクリレートから成る群から選ばれる化合物の残基である、請求項1〜8のいずれかに記載の組成物。
【請求項１０】  前記化合物（A）が溶液の形態にある、請求項1〜9のいずれかに記載の組成物。
【請求項１１】  前記組成物がさらに、不活性溶媒をも含んでいる、請求項10に記載の組成物。
【請求項１２】  前記共重合性エチレン性不飽和モノマー又はオリゴマー（B）が、（メタ）アクリル酸モノマー、（メタ）アクリル酸オリゴマー、ビニルモノマー、ビニルオリゴマー、アリルモノマー、アリルオリゴマー、プロペニルモノマー、プロペニルオリゴマー、グリコールエーテル、グリシジルエーテル、グリシジルエステル、及びこれらの混合物から成る群から選ばれる、請求項1〜11のいずれかに記載の組成物。
【請求項１３】  実質的に有機不溶性金属塩を含まない、請求項10又は12に記載の組成物であって、前記組成物が、支持体への良好な接着、光沢、硬度、耐磨耗性、耐熱性、及び透明性を有する接着剤又はコーティングを形成するために重合性である組成物。
【請求項１４】  前記エチレン性不飽和モノマーは、ジアリルグリコールカーボネートである、請求項1〜13のいずれかに記載の組成物。
【請求項１５】  前記少なくとも１種の共重合性エチレン性不飽和モノマー又はオリゴマーは、多官能（メタ）アクリレート又はアリル化合物である、請求項1〜13のいずれかに記載の組成物。
【請求項１６】  さらに、（メタ）アクリレート、スチレン、ビニルエーテル、エポキシド及びプロペニルエーテルからなる群から選択されるモノマーを含む、請求項15に記載の組成物。
【請求項１７】  前記共重合性エチレン性不飽和オリゴマーは、積層用樹脂である、請求項1〜13のいずれかに記載の組成物。
【請求項１８】  高い熱変形温度を有する積層用樹脂に適している、請求項17に記載の組成物。
【請求項１９】  前記共重合性モノマー又はオリゴマーが、（メタ）アクリレート、スチレン、ビニルエーテル、エポキシド、及びプロペニルエーテルから成る群から選ばれる、請求項1〜13のいずれかに記載の組成物であって、前記組成物が、フリーラジカル開始剤として過酸化物を実質的に含まない組成物。
【請求項２０】  さらに光開始剤をも含む、請求項19に記載の組成物であって、前記組成物が、紫外線放射による硬化に適している組成物。
【請求項２１】  前記共重合性モノマー又はオリゴマーが、エポキシド、ビニルエーテル、及びプロペニルエーテルから成る群から選ばれ、前記組成物がさらに、カチオン性光開始剤をも含んでおり、前記組成物が、放射線の影響下におけるハイブリッド硬化に適している、請求項19に記載の組成物。
【請求項２２】  前記カチオン性光開始剤は、ジアリールヨードニウム塩とトリアリールスルホニウム塩とから成る群から選ばれる、請求項21に記載の組成物。
【請求項２３】  前記カチオン性光開始剤は、ジアリールヨードニウムヘキサフルオロアンチモネート、トリアリールスルホニウムヘキサフルオロアンチモネート、トリアリールスルホニウムヘキサフルオロホスフェート、及びシクロペンタジエンヘキサフルオロホスフェートから成る群から選ばれる、請求項22に記載の組成物。
【請求項２４】  さらに、フリーラジカル光開始剤と、（メタ）アクリレート、スチレン、ビニル化合物、及びN−ビニル化合物から成る群から選ばれるモノマーとを含む、請求項21に記載の組成物。
【請求項２５】  前記フリーラジカル光開始剤が、単分子又は二分子である、請求項24に記載の組成物。
【請求項２６】  前記フリーラジカル光開始剤が、イソブチルベンゾインエーテル、ベンジルジメトキシケトン、ヒドロキシアセトフェノン、酸化アシルホスフィン、及びアミノアルキルフェノンから成る群から選ばれる単分子フリーラジカル光開始剤である、請求項24又は25に記載の組成物。
【請求項２７】  前記フリーラジカル開始剤が、ベンゾフェノンとベンゾフェノンの誘導体とから成る群から選ばれる二分子フリーラジカル光開始剤であり、水素供与源と組合わせて用いられる、請求項24又は25に記載の組成物。
【請求項２８】  紫外線放射硬化性粉末コーティング、インク、及び接着剤に適した、請求項21に記載の組成物であって、前記組成物が室温で固体である組成物。
【請求項２９】  前記共重合性エチレン性不飽和オリゴマーは脂肪酸変性アルキド樹脂であり、前記化合物（A）の量は、支持体への接着を改良するのに十分なものである、請求項1〜13のいずれかに記載の組成物。
【請求項３０】  さらに、フリーラジカル開始剤と、金属塩乾燥剤とを、前記フリーラジカル開始剤の分解を助けるのに有効な量で含んでいる、請求項29に記載の組成物。
【請求項３１】  前記化合物（A）を、前記共重合性エチレン性不飽和モノマー又はオリゴマー（B）の存在下に、及び場合により不活性溶媒の存在下に形成することを含む、請求項10又は11に記載の組成物の製造方法。
【請求項３２】  放射線により前記組成物を硬化することによりポリマー、コーティング、接着剤、インク、フォトレジスト又は成形品を製造するための、請求項1〜13のいずれかに記載の組成物の使用。
【請求項３３】  前記成形品は約1.50〜1.60の屈折率を有する、請求項33に記載の使用。
【請求項３４】  前記成形品はレンズである、請求項32又は33に記載の使用。
【請求項３５】  前記成形品は、実質的にガラスと同等の透明性を有する、請求項33又は34に記載の使用。
【請求項３６】  請求項14に記載の組成物についての、請求項34に記載の使用。
【請求項３７】  透明な成形品を製造するための、請求項15又は16に記載の組成物の使用。
【請求項３８】  硬化積層樹脂組成物を製造するための、請求項17に記載の組成物の使用。
【請求項３９】  重合及び架橋するのに十分な放射線に組成物を曝露することにより、コーティング、接着剤、インク又はフォトレジストを製造するための、請求項19〜21のいずれかに記載の組成物の使用。
【請求項４０】  ハイブリッド硬化のための、請求項21〜27のいずれかに記載の組成物の使用。
【請求項４１】  金属支持体を被覆し、それによりコーティングを形成し、前記コーティングを放射線に曝露することにより硬化するための、請求項19〜21のいずれかに記載の組成物の使用。
【請求項４２】  さらに前記コーティングを加熱することを含む、請求項41に記載の使用。
【請求項４３】  実質的に前記コーティングの劣化を伴なわずに、殺菌及びレトルト条件に耐えうる被覆金属製品を製造するための、請求項41又は42に記載の使用。
【請求項４４】  紫外線放射硬化性粉末コーティング、インク又は接着剤を製造するための、請求項21に記載の組成物の使用。
【請求項４５】  請求項28に記載の固体粉末コーティング組成物を支持体に塗布し、前記粉末コーティング組成物を放射線及び熱で硬化させることにより、支持体を被覆するための、請求項44に記載の使用。
【請求項４６】  改良された支持体への接着性を有するコーティングを製造するための、請求項29又は30に記載の組成物の使用。
【請求項４７】  ａ）請求項29又は30に記載の組成物により支持体を被覆し、ｂ）前記被覆された組成物を硬化することにより、支持体に組成物を接着するための、請求項29又は30に記載の使用。
【手続補正２】
【補正対象書類名】明細書
【補正対象項目名】００１０
【補正方法】変更
【補正の内容】
【００１０】
放射線硬化性コーティング、接着剤、及びインクの技術は、過酸化物硬化性ポリマーの技術とは異なる。放射性硬化性分野において、現在の技術は、接着促進剤として油不溶性金属塩のみを使用している。以前に、放射線硬化性技術においてカルボン酸の油溶性金属塩を誰も提案していない。
【手続補正３】
【補正対象書類名】明細書
【補正対象項目名】００１３
【補正方法】変更
【補正の内容】
【００１３】
以下の開示から明らかになるこれらの目的及びその他の目的は、本発明によって達成される。この発明は、1つの要旨において、放射線硬化コーティング、接着剤、インク、フォトレジスト又は成形品に適した組成物であって、（A）式：
【化２０】
2003501541.tif 000004
【化２１】
2003501541.tif 000005
又は
【化２２】
2003501541.tif 000006
（式中、
Mは、原子価nの1つ又はそれ以上の金属原子であり、ここにおいてn=y.wであり、Mは、場合によっては1つよりも多い金属原子であるが、但し全体の当量金属原子価はn=w.yである；
nは、約1〜6の整数であり；
Rは、無水物及び／又はカルボン酸基を有する化合物の残基であり、当初当量カルボキシ当量官能価は、式f=x+y+z（ここにおいてfは約2〜30の整数である）によって規定され；
R1は、ヒドロキシ含有エチレン性不飽和化合物の残基であり；
R2は、水素であるか、あるいはR1とは異なるヒドロキシ含有エチレン性不飽和化合物の残基であり；
R3は、ヒドロキシ含有エチレン性不飽和化合物の残基であり；
wは、金属原子価nに必要とされる残基Rを有する部分の数であり；
xは、約1〜f−1の整数であり；
yは、約1〜2の整数（Mに結合した分子内カルボキレートの数）であり；
zは、約0〜f−2の整数であり；
Yは、H又はR3である）
の少なくとも1つの重合性エチレン性不飽和化合物と、
（B）少なくとも1つの共重合性エチレン性不飽和モノマー又はオリゴマーと、
を含む組成物を含んでいる。